(57)【要約】【課題】  施工現場で外階段を容易に取り付けることができるバルコニー床パネル及びバルコニーユニットを提供する。【解決手段】  外階段３５を取り付けるための固定部２９を予め床フレーム１８の床小梁２２に固定させ、床面材２０の床面２０ａ及び固定部２９の周辺の防水を予め施す。【選択図】  図２
2005163493.tif 000002
【特許請求の範囲】
【請求項１】
多層階からなる建物のための下階上に設けられるバルコニー床パネルであって、上階に
至る外階段を取り付けるための固定部が予め床小梁に固定された床フレームを有し、床面
及び前記固定部の周辺に予め防水が施されたことを特徴とするバルコニー床パネル。
【請求項２】
前記外階段は、支柱と該支柱の周りに該支柱を螺旋状に取り巻くように配置された複数
の段板とを有し、前記支柱が前記固定部に取り付けられることを特徴とする請求項１に記
載のバルコニー床パネル。
【請求項３】
請求項１又は２に記載のバルコニー床パネルには、手摺壁が予め一体に設けられている
ことを特徴とするバルコニーユニット。
【発明の詳細な説明】
【技術分野】
【０００１】
本発明は、建物用のバルコニー床パネル及び特に工場で予め製造された複数の建物ユニ
ットを施工現場で組み立てることにより建てられるユニット建物のためのバルコニーユニ
ットに関する。
【背景技術】
【０００２】
一般に、複数個の建物ユニットが二階以上に組み立てられたユニット建物が知られてい
る。このユニット建物には、上階建物ユニットが搭載されていない下階建物ユニットの上
にバルコニーユニットを取り付けることができる（例えば、特許文献１乃至３参照。）。
【０００３】
このバルコニーユニットは、その床を構成する床フレーム及び床パネル等の組立や、床
パネルの床面の防水が予め工場で施された後、施工現場に運搬されてユニット建物に取り
付けられる。
【特許文献１】特開平５−３２１３４６号公報（第３−４項、第２図）
【特許文献２】特開平５−１４８８８９号公報（第２−３項、第１図）
【特許文献３】特開平８−６０７４４号公報（第４−１１項、第１図）
【発明の開示】
【発明が解決しようとする課題】
【０００４】
しかしながら、バルコニーユニットに外階段のような重重量物を施工現場で取り付ける
場合、外階段をバルコニーユニットに取り付けるための固定部がバルコニーユニットに予
め工場で組み付けられていないため、現場で固定部をバルコニーユニットに組み付け、更
に現場で固定部の周辺に防水を施さなければならないという問題があった。
【０００５】
このため、現場での施工工数が多くなってしまい、現場で外階段を容易に取り付けるこ
とができない。
【０００６】
本発明の目的は、施工現場で外階段を容易に取り付けることができるバルコニー床パネ
ル及びバルコニーユニットを提供することにある。
【課題を解決するための手段】
【０００７】
上記課題を解決するために、請求項１に記載の発明は、多層階からなる建物のための下
階上に設けられるバルコニー床パネルであって、上階に至る外階段を取り付けるための固
定部が予め床小梁に固定された床フレームを有し、床面及び前記固定部の周辺に予め防水
が施されたことを特徴とする。
【０００８】
請求項１に記載の構成では、外階段をバルコニー床パネルに取り付けるための固定部が
予め床フレームの床小梁に固定されていることから、施工現場で外階段をバルコニー床パ
ネルに容易に取り付けることができる。これにより、現場での施工工数の増加を確実に抑
制することができる。
【０００９】
請求項２に記載の発明は、請求項１に記載の発明において、前記外階段は、支柱と該支
柱の周りに該支柱を螺旋状に取り巻くように配置された複数の段板とを有し、前記支柱が
前記固定部に取り付けられることを特徴とする。
【００１０】
請求項２に記載の構成では、外階段の支柱を固定部に取り付けることにより、外階段を
バルコニーユニットにより容易に取り付けることができる。
【００１１】
請求項３に記載の発明は、請求項１又は２に記載の発明において、バルコニー床パネル
に手摺壁が予め一体に設けられていることを特徴とする。
【００１２】
請求項３に記載の構成では、手摺壁がバルコニー床パネルに予め一体に設けられている
ことから、施工現場での施工工数の増加を確実に抑制することができる。
【発明の効果】
【００１３】
本発明によれば、外階段を取り付けるための固定部が予め床フレームの床小梁に固定さ
れていることから、施工現場で外階段を容易に取り付けることができる。これにより、現
場での施工工数の増加を確実に抑制することができる。
【発明を実施するための最良の形態】
【００１４】
本発明を図示の実施例に沿って説明する。
【実施例】
【００１５】
本実施例では、図１に示すように、二個の下階建物ユニット１１，１２と、各下階建物
ユニット１１，１２の上に搭載された第一の上階建物ユニット１３及び第一の上階建物ユ
ニット１３よりも小さい第二の上階建物ユニット１４とで構成されたユニット建物１５に
、バルコニーユニット１０が取り付けられる例について説明する。
【００１６】
本発明に係るバルコニーユニット１０は、第二の上階建物ユニット１４が搭載された下
階建物ユニット１１の上の残余部１１ａに取り付けられる。バルコニーユニット１０は、
床パネル１６と、該床パネルに一体に設けられた手摺壁１７とを備える。
【００１７】
バルコニーユニット１０は、従来よく知られているように、床パネル１６及び手摺壁１
７が予め工場で組み立てられた後、施工現場に運搬され、施工現場でユニット建物１５に
取り付けられる。バルコニーユニット１０が施工現場でユニット建物１５に取り付けられ
た状態を図２に示す。
【００１８】
手摺壁１７は、図１及び図２に示すように、下階建物ユニット１１の上の残余部１１ａ
の外縁に沿って配置される床パネル１６の各縁部１６ａ，１６ｂから上方へ直角に立ち上
がっている。手摺壁１７の上端面には、図示しないが従来よく知られた手摺を取り付ける
ことができる。
【００１９】
床パネル１６は、図２に示すように、ユニット建物１５に固定される床フレーム１８と
、床フレーム１８上に固定された複数の床根太１９と、各床根太１９を介して床フレーム
１８に支持された板状の床面材２０とを備える。
【００２０】
床フレーム１８は、従来よく知られているように、矩形状に枠組みされた４本の床大梁
２１と、互いに対向する一対の床大梁２１間に互いに平行に架け渡された複数の床小梁２
２とを備える。各床大梁２１は、下階建物ユニット１１の天井大梁２３に図示しないボル
トで固定されている。前記した手摺壁１７は、その下端面１７ａで各床大梁２１に固定さ
れている。各床小梁２２上には、手摺壁１７の近傍で雨樋２４が設けられている。雨樋２
４と各床小梁２２との間には、雨樋２４に雨水の流れ方向の水勾配を付与するためのスペ
ーサ２４ａが設けられている。また、各床小梁２２と第一の上階建物ユニット１３側の床
大梁２１との間には、雨樋２４へ向けての水勾配を床面材２０に付与するためのスペーサ
２５が設けられている。これにより、雨樋２４に雨水を容易に排水することができるため
、バルコニーユニット１０の水はけがよくなる。
【００２１】
床面材２０は、各床根太１９を介して床フレーム１８の各床小梁２２に平行に該各床小
梁に支持されている。また、床面材２０は、床フレーム１８を覆う大きさを有している。
床面材２０の表面である床面２０ａには、例えばアスファルトが浸透された防水材である
布状のルーフィング２６が張られている。ルーフィング２６の上には、例えば塩化ビニー
ルのような合成樹脂層を表面にもつ鋼板で形成された床板２７が張られている。ルーフィ
ング２６及び床板２７の各縁部２６ａ，２７ａは、床面材２０から該床面材の外方へはみ
出しており、手摺壁１７及び各上階建物ユニット１３，１４の各外壁１３ａ，１４ａ（図
１参照。）に沿って立ち上がっている。ルーフィング２６及び床板２７により、床面材２
０は防水されている。この防水は、予め工場で施されている。床面材２０には、挿通孔３
０が形成されており、該挿通孔には外階段３５をバルコニーユニット１０に取り付けるた
めの固定部２９が挿通されている。
【００２２】
固定部２９は、図示の例では直方体をなしており、その軸線を鉛直方向に向けて床小梁
２２に固定されている。また、固定部２９は、その一部が床面材２０の挿通孔３０から床
面材２０の上方へ突出している。固定部２９の上面２９ａには、外階段３５を取り付ける
ための基部３１が固定部２９の軸線に沿って上方へ立ち上がって設けられている。
【００２３】
基部３１は、図示の例では円筒形状をなしており、その口径は外階段３５の後述する支
柱３６と嵌合可能な大きさを有する。
【００２４】
固定部２９の側面２９ｂには、図３に示すように、床面材２０の床面２０ａから固定部
２９の側面２９ｂに沿って立ち上がるルーフィング２６の縁部２６ｂがルーフィング用テ
ープ３２で貼り付けられている。ルーフィング用テープ３２は、従来よく知られているよ
うに、防水性を有する補強材である。また、固定部２９の側面２９ｂには、床板２７の縁
部２７ｂから固定部２９の上面２９ａに向けてルーフィング用テープ３２を覆ってブチル
シート３３が張られている。ブチルシート３３は、従来よく知られているように、ブチル
ゴムで成形された防水シートである。従って、固定部２９の周辺には、ルーフィング２６
及び床板２７に加え、ルーフィング用テープ３２及びブチルシート３３が張られているた
め、固定部２９と床面材２０との間から下階建物ユニット１１内へ雨水が浸入することが
確実に防止される。ルーフィング用テープ３２及びブチルシート３３は、予め工場で張ら
れている。
【００２５】
バルコニーユニット１０は、工場から施工現場に運搬されてユニット建物１５に取り付
けられた後、床面材２０上に床化粧材３４が取り付けられ、また床小梁２２に固定された
固定部２９の基部３１に外階段３５が取り付けられる。
【００２６】
バルコニーユニット１０に床化粧材３４及び外階段３５が現場で取り付けられた状態を
図４に示す。
【００２７】
床化粧材３４は、床面２０ａに張られた床板２７を傷めないような例えばプラスチック
やゴム等の軟質材料で成形されており、透水性を有する。床化粧材３４は、図４に示すよ
うに、床パネル１６を全面に亘って覆うように床パネル１６に取り付けられている。また
、床化粧材３４には、固定部２９を覆うための化粧カバー３４ａが設けられている。床化
粧材３４及び化粧カバー３４ａの取付けにより、バルコニーユニット１０の見栄えをよく
することができる。
【００２８】
外階段３５は、図５に示すように、固定部２９の基部３１に取り付けられる前記した支
柱３６と、複数の段板３７と、手摺３８とを備える。外階段３５は、従来よく知られてい
るように、工場で予め組み立てられた後、施工現場に運搬される。外階段３５は、図示の
例では、螺旋階段で構成されており、バルコニーユニット１０から第一の上階建物ユニッ
ト１３に設けられた屋上３９に至る。
【００２９】
支柱３６は、円筒状をなしており、その上端部３６ａは第一の上階建物ユニット１３の
屋上３９の床面３９ａよりも上方へ延びている。支柱３６の下端部３６ｂは、図４に示す
ように、固定部２９の基部３１に嵌合され、該基部にボルト４０で固定されている。この
固定により、外階段３５がバルコニーユニット１０に取り付けられる。
【００３０】
各段板３７は、互いに所定の間隔をおいて支柱３６の軸線の周りを螺旋状に取り巻くよ
うに配置されており、各一端で支柱３６に固定されている。各段板３７の各他端には、そ
れぞれ縦格子４１がその下端で固定されている。
【００３１】
手摺３８は、各縦格子４１をそれらの各上端で連結し、各縦格子４１を介して各段板３
７に固定されている。
【００３２】
外階段３５の最上段には、踊り場４２が設けられている。踊り場４２は、支柱３６と第
一の上階建物ユニット１３の屋上３９の床面３９ａを支持する床梁４３との間に懸架され
ている。これにより、バルコニーユニット１０と第一の上階建物ユニットの屋上３９との
間の昇降が可能となる。
【００３３】
本実施例によれば、前記したように、外階段３５の基部３１を取り付けるための固定部
２９が予め床フレーム１８の床小梁２２に固定されていることから、施工現場で外階段３
５をバルコニーユニット１０に容易に取り付けることができる。これにより、現場での施
工工数の増加を確実に抑制することができる。
【００３４】
また、前記したように、手摺壁１７が床フレーム１８の各床大梁２１に予め一体に設け
られていることから、施工現場での施工工数の増加を確実に抑制することができる。
【００３５】
本実施例では、外階段３５が螺旋階段で構成された例を示したが、螺旋状以外の階段で
構成することができる。また、工場で予め組み立てられた外階段３５を用いた例を示した
が、施工現場で組み立てる外階段を用いることができる。
【００３６】
また、本実施例では、二階建てのユニット建物１５にバルコニーユニット１０を取り付
けた例を示したが、三階以上の多層階のユニット建物に本発明に係るバルコニーユニット
１０を取り付けることができる。
【００３７】
更に、バルコニー床パネル１６と手摺壁１７とは、予め一体化された例を示したが、施
工現場で一体化することができる。
【図面の簡単な説明】
【００３８】
【図１】本発明に係るバルコニーユニット及びバルコニーユニットが取り付けられるユニット建物を概略的に示す斜視図である。
【図２】工場で予め組み立てられたバルコニーユニットがユニット建物に取り付けられた状態を概略的に示す図１のＩ−Ｉ線に沿った縦断面図である。
【図３】固定部の周辺に予め施された防水の構造を概略的に示す縦断面図である。
【図４】バルコニーユニットに外階段及び化粧カバーが現場で取り付けられた状態を概略的に示す図１のＩ−Ｉ線に沿った縦断面図である。
【図５】バルコニーユニットに外階段が取り付けられた状態を概略的に示す側面図である。
【符号の説明】
【００３９】
１５  建物（ユニット建物）
１１，１２  下階建物ユニット
１６  バルコニー床パネル（床パネル）
３５  外階段
３１  基部
２９  固定部
２２  床小梁
１８  床フレーム
２０ａ  床面
１７  手摺壁
【図１】
2005163493.tif 000003
【図２】
2005163493.tif 000004
【図３】
2005163493.tif 000005
【図４】
2005163493.tif 000006
【図５】
2005163493.tif 000007